(57)【特許請求の範囲】
【請求項１】
ベースフィルム上に、アンテナ部と、前記アンテナ部に電気的に接続されたＩＣチップとが設けられ、前記ベースフィルムが１つ以上のシート状基材と積層され、接着一体化されたＩＣタグ本体を有する開梱確認用の非接触ＩＣタグであって、
前記ＩＣチップはダイバシティー機能を有し、当該ＩＣチップの入力端子には、前記アンテナ部が有する２つのアンテナ素子が接続されており、
前記ベースフィルム及び前記シート状基材には、前記２つのアンテナ素子のうち一方のアンテナ素子が形成されている部分を切断可能な位置に、前記ＩＣタグ本体の切断線が形成され、当該切断線による切断後は、前記一方のアンテナ素子が使用不能となるように構成されており、
前記ＩＣタグ本体の一方の面側には、前記非接触ＩＣタグを梱包体に貼付する際に用いる粘着層が設けられ、
前記粘着層が、前記切断線が形成された部分から２つの貼付領域に区分けされていることを特徴とする開梱確認用の非接触ＩＣタグ。
【請求項２】
前記切断線の破断強度が、前記粘着層の固定強度よりも弱いことを特徴とする請求項１記載の開梱確認用の非接触ＩＣタグ。
【請求項３】
前記アンテナ部が、前記一方のアンテナ素子が切断された場合に、通信距離が半分以下となる構造を有することを特徴とする請求項１または請求項２記載の開梱確認用の非接触ＩＣタグ。
【請求項４】
前記複数のシート状基材が、紙又はプラスチックフィルムからなることを特徴とする請求項１から請求項３のいずれか一項に記載の開梱確認用の非接触ＩＣタグ。
【請求項５】
帯状の包装用フィルムが巻き付けられて包装された梱包体が、不正に開梱されたことを確認可能とした非接触ＩＣタグを用いた開梱確認方法であって、
ベースフィルム上に、アンテナ部と、前記アンテナ部に電気的に接続されたＩＣチップとが設けられ、前記ベースフィルムが１つ以上のシート状基材と積層され接着一体化され、更に、前記ＩＣチップはダイバシティー機能を有し、当該ＩＣチップの入力端子には、前記アンテナ部が有する２つのアンテナ素子が接続されており、前記ベースフィルム及び前記複数のシート状基材に、前記２つのアンテナ素子のうち一方のアンテナ素子が形成されている部分を切断可能な位置に、ＩＣタグ本体の切断線が形成され、当該切断線による切断後は、前記一方のアンテナ素子が使用不能となるように構成された開梱確認用の非接触ＩＣタグを用い、前記包装用フィルム表面上と前記梱包体本体表面上を跨ぎ、前記切断線が前記包装用フィルムと前記梱包体の境部分と重なる状態で前記非接触ＩＣタグを貼付させ、前記包装用フィルムが取り去られた際に、前記切断線から前記アンテナ部が切断されることで、前記非接触ＩＣタグによる通信状態が変化することで開梱確認が行われることを特徴とする非接触ＩＣタグを用いた開梱確認方法。
【請求項６】
前記アンテナ部が、前記一方のアンテナ素子が切断された場合に、通信距離が半分以下となる構造を有することを特徴とする請求項５記載の非接触ＩＣタグを用いた開梱確認方法。
【請求項７】
前記包装用フィルムが、ラップフィルムであることを特徴とする請求項５または請求項６記載の非接触ＩＣタグを用いた開梱確認方法。
【発明の詳細な説明】
【技術分野】
【０００１】
本発明は、梱包状態にある物品が、運送の途中で不正に開梱された場合でも、運送後に開梱されたことを確認できるように梱包物に取り付ける開梱確認用の非接触ＩＣタグ及び非接触ＩＣタグを用いた開梱確認方法に関する。
【背景技術】
【０００２】
従来、運送を行う物品の梱包方法として、物品の外周に帯状の包装用フィルムを巻き付けることで梱包物を作成して、物品を風雨による悪影響から保護したり、また、梱包された物品を第三者による悪戯から保護したり、更に、運送の途中で梱包物内の物品が盗難されないように保護する方法が行われている。
【０００３】
しかしながら、たとえ帯状の包装用フィルムを物品に巻き付けて梱包物を作成した場合でも、梱包物の運送途中において、倉庫などに一時的に保管されることも多く、その保管中に第三者が不正に梱包物に巻き付けられている包装用フィルムを解いて、内容物の一部を盗み、その後に再度、包装用フィルムを巻き付けることで犯行が行われたことが直ぐに発覚しないように偽装工作することも考えられる。
【０００４】
従来、開梱されたことを機械的に調べることができるようにするために、非接触ＩＣタグをラベル化して、梱包体の開梱部に貼り付けることで、開梱されたことを非接触ＩＣタグからの通信状態により判断することができる技術が知られている。（例えば、特許文献１参照）
【０００５】
【特許文献１】特開２００２−３６２６１３号公報
【０００６】
しかしながら、従来の非接触ＩＣタグラベルによる開梱確認では、簡単に他のラベルに貼り替えられたり、一旦全体を剥離させてから、再度貼りなおしができるために、不正行為が行われた場合でもわからないという問題がある。
【発明の開示】
【発明が解決しようとする課題】
【０００７】
そこで、本発明は、特に、帯状の包装用フィルムを物品に巻き付けて梱包物を作成した場合において、物品に巻き付けられた帯状の包装用フィルムが不正に剥がされ、再度、巻き付けて偽装工作されたとしても、一旦、包装用フィルムが不正に剥がされことを確認できるようにした開梱確認用の非接触ＩＣタグ及び非接触ＩＣタグを用いた開梱確認方法を提供する。
【課題を解決するための手段】
【０００８】
本発明の開梱確認用の非接触ＩＣタグは、ベースフィルム上に、アンテナ部と、前記アンテナ部に電気的に接続されたＩＣチップとが設けられ、前記ベースフィルムが１つ以上のシート状基材と積層され、接着一体化されたＩＣタグ本体を有する開梱確認用の非接触ＩＣタグであって、前記ＩＣチップはダイバシティー機能を有し、当該ＩＣチップの入力端子には、前記アンテナ部が有する２つのアンテナ素子が接続されており、前記ベースフィルム及び前記シート状基材には、前記２つのアンテナ素子のうち一方のアンテナ素子が形成されている部分を切断可能な位置に、前記ＩＣタグ本体の切断線が形成され、当該切断線による切断後は、前記一方のアンテナ素子が使用不能となるように構成されており、前記ＩＣタグ本体の一方の面側には、前記非接触ＩＣタグを梱包体に貼付する際に用いる粘着層が設けられ、前記粘着層が、前記切断線が形成された部分から２つの貼付領域に区分けされていることを特徴とする。
【０００９】
また、本発明の開梱確認用の非接触ＩＣタグは、前記切断線の破断強度が、前記粘着層の固定強度よりも弱いことを特徴とする。
【００１０】
更に、本発明の開梱確認用の非接触ＩＣタグは、前記アンテナ部が、前記一方のアンテナ素子が切断された場合に、通信距離が半分以下となる構造を有することを特徴とする。
【００１１】
また、本発明の開梱確認用の非接触ＩＣタグは、前記複数のシート状基材が、紙又はプラスチックフィルムからなることを特徴とする。
【００１２】
また、本発明の非接触ＩＣタグを用いた開梱確認方法は、帯状の包装用フィルムが巻き付けられて包装された梱包体が、不正に開梱されたことを確認可能とした非接触ＩＣタグを用いた開梱確認方法であって、ベースフィルム上に、アンテナ部と、前記アンテナ部に電気的に接続されたＩＣチップとが設けられ、前記ベースフィルムが１つ以上のシート状基材と積層され接着一体化され、更に、前記ＩＣチップはダイバシティー機能を有し、当該ＩＣチップの入力端子には、前記アンテナ部が有する２つのアンテナ素子が接続されており、前記ベースフィルム及び前記複数のシート状基材に、前記２つのアンテナ素子のうち一方のアンテナ素子が形成されている部分を切断可能な位置に、ＩＣタグ本体の切断線が形成され、当該切断線による切断後は、前記一方のアンテナ素子が使用不能となるように構成された開梱確認用の非接触ＩＣタグを用い、前記包装用フィルム表面上と前記梱包体本体表面上を跨ぎ、前記切断線が前記包装用フィルムと前記梱包体の境部分と重なる状態で前記非接触ＩＣタグを貼付させ、前記包装用フィルムが取り去られた際に、前記切断線から前記アンテナ部が切断されることで、前記非接触ＩＣタグによる通信状態が変化することで開梱確認が行われることを特徴とする。
【００１３】
更に、本発明の非接触ＩＣタグを用いた開梱確認方法は、前記アンテナ部が、前記一方のアンテナ素子が切断された場合に、通信距離が半分以下となる構造を有することを特徴とする。
【００１４】
また、本発明の非接触ＩＣタグを用いた開梱確認方法は、前記包装用フィルムが、ラップフィルムであることを特徴とする。
【発明の効果】
【００１５】
本発明の開梱確認用の非接触ＩＣタグは、非接触ＩＣタグが梱包体に帯状に巻き付けられた包装用フィルムの一部と、梱包体本体の表面の一部と、を跨がせて貼着させた場合に、不正に巻き付けられた帯状の包装用フィルムが剥がされると切断される切断線が設けられているので、切断線からアンテナ部が形成されている部分が切断されることから、再度、巻き付けて偽装工作を行ったとしても、非接触ＩＣタグの通信距離を元通りに回復できないので、不正に開梱されたことを確認できるという効果がある。
【００１６】
また、本発明の非接触ＩＣタグを用いた開梱確認方法は、非接触ＩＣタグが梱包体に帯状に巻き付けられた包装用フィルムの一部と、梱包体本体の表面の一部と、を跨がせて貼着させた場合に、不正に巻き付けられた帯状の包装用フィルムが剥がされると切断される切断線が設けられているので、切断線からアンテナ部が形成されている部分が切断されることから、再度、巻き付けて偽装工作を行ったとしても、非接触ＩＣタグの通信距離を元通りに回復できず、非接触ＩＣタグによる通信状態が変化することで開梱確認を行うことができるという効果がある。
【発明を実施するための最良の形態】
【００１７】
以下、本発明の実施形態に係る開梱確認用の非接触ＩＣタグ及び非接触ＩＣタグを用いた開梱確認方法を、図面に基づいて詳細に説明する。
図１は、本発明の実施形態に係る開梱確認用の非接触ＩＣタグの平面図、図２は、本発明の実施形態に係る開梱確認用の非接触ＩＣタグに内蔵されているインレットの平面図、図３は、図１のＡ−Ａ線断面図である。
本発明の実施形態に係る開梱確認用の非接触ＩＣタグ１は、図１に示すように、一方向に対して長い矩形形状を有し、長手方向に対して縦方向に切断線として切り取り用ミシン２が形成され、この切り取り用ミシン２から非接触ＩＣタグ１が切断可能に構成されている。
そして、非接触ＩＣタグ１は、複数のシート状基材４ａ，４ｂの間に、縦横幅寸法が小さなインレット５が挟み込まれており、少なくともインレット５の四周縁部が接着剤６により接着一体化されたＩＣタグ本体１ａを有している。
これらの複数のシート状基材４ａ，４ｂは、紙又はプラスチックフィルムなどからなる。
【００１８】
非接触ＩＣタグ１に内蔵されているインレット５は、図２に示すように、ベースフィルム５１上に形成されたアンテナ部５２と、そのアンテナ部５２に電気的に接続されたＩＣチップ５３とにより構成されている。
アンテナ部５２は、２つのアンテナ素子５２ａ，５２ｂからなり、それぞれのアンテナ素子５２ａ，５２ｂは、ＩＣチップ５３のアンテナ入力端子に接続されている。
２つのアンテナ素子５２ａ，５２ｂは、共に半波長ダイポール型アンテナであるが、左側のアンテナ素子５２ａは、右側よりもやや大きい形状となっている。
左右のアンテナ素子５２ａ，５２ｂは、その大きさや指向特性が異なるように設計でき、その場合には、いずれかの信号入力の大きなアンテナを自動選択して動作させられるという特徴がある。
なお、アンテナ部５２は、ベースフィルム５１面に形成され、アンテナ素子５２ａ，５２ｂとＩＣチップ５３面は、プラスチックフィルムからなる表面保護シートで全体を被服することが好ましい。
【００１９】
また、ＩＣチップ５３は、ダイバシティー機能を有するものであり、２以上のアンテナ入力端子を有している。
ダイバシティー機能は、入力端子に接続された２つの平面アンテナ素子５２ａ，５２ｂの受信波を増幅して、その強弱を判定し、スイッチングを行う。
ＩＣチップ５３の２つの増幅回路は、判定を正確に行うため、増幅特性、周波数特性等の電気的特性の同一性が要求される。
【００２０】
ベースフィルム５１には、前記アンテナ部５２が形成されている部分を切断可能な位置に、切断線である切り取り用ミシン５４が形成されている。
ベースフィルム５１に形成されている切り取り用ミシン５４と、複数のシート状基材４ａ，４ｂに形成されている切り取り用ミシン２とは、重なる状態で形成されている。
これらの切断線である切り取り用ミシン５４と切り取り用ミシン２とを重ね合わせる状態とするために、複数のシート状基材４ａ，４ｂの間にインレット５を挟み込み、接着剤６により接着一体化された後に、ミシン刃で切り込んで形成することが好ましい。
【００２１】
また、ベースフィルム５１に形成されている切り取り用ミシン５４の位置は、図２に示すように、左側のアンテナ部５２ａの一部が切断される位置となるように形成されている。
つまり、開梱確認用の非接触ＩＣタグ１に形成された切り取り用ミシン２，５４から切り取られた場合に、左側のアンテナ部５２ａは使用不能となり、右側のアンテナ素子５２ｂだけを使用して、リーダライタとの通信を行える状態となる。
但し、この場合には、通信距離が半分以下となり、リーダライタによる通信において、この通信距離の変動により切り取り用ミシンから切り取られたことを確認できるようになっている。
【００２２】
また、前記ＩＣタグ本体１ａの裏面には、切断線である切り取り用ミシン２と重なる部分を除いて、所定の厚みを有するスペーサシート６ａ，６ｂが接着剤層７ａ，７ｂにより接着されている。
更に、スペーサシート６ａ，６ｂの裏面には、それぞれ非接触ＩＣタグを梱包体に貼付する際に用いる粘着層８ａ，８ｂが設けられ、各々の粘着層８ａ，８ｂの表面には、各々剥離用シート９ａ，９ｂが剥離可能に貼付されている。
【００２３】
そして、非接触ＩＣタグ１を梱包体に貼付する際に用いる粘着層８ａ，８ｂは、粘着層８ａ，８ｂの貼付領域のうち、前記切断線が形成された部分から区分けされる一方の粘着層貼付領域の粘着層８ａが、前記非接触ＩＣタグを梱包体に貼付する際に、前記梱包体に帯状に巻き付けられた包装用フィルムの一部に貼着するための包装用フィルム貼付用の粘着層であり、更に、他の粘着層貼付領域の粘着層８ｂが、前記包装用フィルムと接近する前記梱包体本体の表面に直接貼着するための梱包体本体貼付用の粘着層である。
【００２４】
また、粘着層８ａ，８ｂを、上記と逆にして、粘着層８ａを包装用フィルム貼付用の粘着層とし、更に粘着層８ｂを、梱包体本体貼付用の粘着層としてもよい。
梱包体に帯状に巻き付けられた包装用フィルムは、ラップフィルムであることが好ましい。また、切断線である切り取り用ミシン５４と切り取り用ミシン２の破断強度は、粘着層８ａ，８ｂの固定強度よりも弱く設定されている。
これにより、非接触ＩＣタグ１が、梱包体本体と包装用フィルムとに貼付された状態で、包装用フィルムを取り去ろうとした際に、切断線である切り取り用ミシン５４と切り取り用ミシン２から切断されるようになっている。
【００２５】
次に、本発明の実施形態に係る非接触ＩＣタグを用いた開梱確認方法を、図４から図７に基づいて説明する。
図４には、包装用フィルム１１が巻き付けられた梱包体１０の本体に、非接触ＩＣタグ１を貼付させた状態の斜視図が示されている。
梱包体１０は、帯状の包装用フィルム１１が巻き付けられて包装されている。
この帯状の包装用フィルム１１は、例えばラップフィルムであり、ラップフィルムを複数回、梱包体１０の周りに巻き付けることで、梱包体１０が不正に開梱されないように保護されている。
【００２６】
そして、非接触ＩＣタグ１の粘着層８ａ，８ｂに剥離可能に貼付されている各々剥離用シート９ａ，９ｂを剥離させた後に、その非接触ＩＣタグ１を、包装用フィルム１１表面上と梱包体１０の本体表面上を跨ぎ、非接触ＩＣタグ１に形成されている切断線である切り取り用ミシン５４と切り取り用ミシン２とが、包装用フィルム１１と梱包体１０の本体の境部分と重なる状態で貼付させる。
図５には、非接触ＩＣタグ１の粘着層８ａ，８ｂで、包装用フィルム１１表面上と梱包体１０の本体表面上を跨ぎ、非接触ＩＣタグ１に形成されている切断線である切り取り用ミシン５４と切り取り用ミシン２とが、包装用フィルム１１と梱包体１０の本体の境部分と重なる状態で貼付させた状態の断面図が示されている。
【００２７】
非接触ＩＣタグ１の粘着層８ａにより、梱包体１０の本体に貼付されており、また、非接触ＩＣタグ１の粘着層８ｂにより、包装用フィルム１１に貼付されている。
この状態で、梱包体１が運送されることになる。
梱包体１に貼付された非接触ＩＣタグ１には、必要に応じて専用のリーダライタにより情報の書き込みや、記憶された情報の読み取りを行うことで、物流管理システムの情報管理を行えるようになっている。
【００２８】
しかしながら、運送の途中や、保管時などにおいて、第三者などが包装用フィルム１１を剥ぎ取ったとする。
図６には、包装用フィルム１１を梱包体１０の本体から剥ぎ取った場合の状態の斜視図が示され、図７には、包装用フィルム１１を梱包体１０の本体から剥ぎ取った場合における非接触ＩＣタグ１の状態を説明する断面図が示されている。
非接触ＩＣタグ１は、梱包体に帯状に巻き付けられた包装用フィルム１１の一部と、梱包体１０の本体の表面の一部と、を跨がせて貼着されているので、不正に巻き付けられた帯状の包装用フィルム１１が剥がされた場合に、非接触ＩＣタグ１に形成されている切断線である切り取り用ミシン５４と切り取り用ミシン２とから切断されることになる。
【００２９】
一旦、非接触ＩＣタグ１が切断線から切断された場合には、切り取り用ミシン５４から切断されたインレット５により、アンテナ部５２も切断されることになり、左側のアンテナ素子５２ａは使用不能となり、右側のアンテナ素子５２ｂだけを使用して、リーダライタとの通信を行なうことになる。
アンテナ部５２が切断された場合には、通信距離が半分以下となる構造を有していることから、不正を行った者が、再度、包装用フィルム１１を元の状態となるように、梱包体に帯状に巻き付けて体裁をとりつけたとしても、リーダライタとの通信を行なった際に通信距離が異なることから不正が行われたことを確認することができるようになっている。
【００３０】
また、複数のシート状基材４ａ，４ｂの間に設けるインレットとして、図８に示すような、インレット５ａを用いてもよい。
このインレット５ａは、ベースフィルム５１上に形成されたアンテナ部として１つのアンテナ部５２ｃと、そのアンテナ部５２ｃに電気的に接続されたＩＣチップ５５とにより構成されている。
そして、ベースフィルム５１には、アンテナ部５２ｃが切断される位置に切り取り用ミシン２ａが形成されている。
ベースフィルム５１に形成された切り取り用ミシン２ａと、複数のシート状基材４ａ，４ｂに形成された切り取り用ミシンとが重合された状態で接着一体化されて開封確認用の非接触ＩＣタグが構成される。
【００３１】
この場合には、図９に示すように、開封確認用の非接触ＩＣタグの切り取り用ミシンから切断された場合に、アンテナ部が切断され、通信不能となる。
したがって、リーダライタによる通信において、通信不能であることから、梱包体が開封されたことを確認することができるようになっている。
【００３２】
以上のように、本発明の開梱確認用の非接触ＩＣタグ及び非接触ＩＣタグを用いた開梱確認方法は、切断線から切断された場合に、再度、包装用フィルム１１を梱包体に巻き付けて偽装工作を行ったとしても、非接触ＩＣタグの通信距離を元通りに回復できないので、不正に開梱されたことを確認でき、また、非接触ＩＣタグによる通信状態が変化することで開梱確認を行うことができる。
【図面の簡単な説明】
【００３３】
【図１】本発明の実施形態に係る開梱確認用の非接触ＩＣタグの平面図である。
【図２】本発明の実施形態に係る開梱確認用の非接触ＩＣタグに内蔵されているインレットの平面図である。
【図３】図１のＡ−Ａ線断面図である。
【図４】本発明の実施形態に係る開梱確認用の非接触ＩＣタグを使用して、包装用フィルムが巻き付けられた梱包体の本体に貼付させた状態の斜視図が示されている
【図５】図１のＢ−Ｂ線断面図である。
【図６】本発明の実施形態に係る開梱確認用の非接触ＩＣタグを貼付させた後に、包装用フィルムを梱包体の本体から剥ぎ取った場合の状態を示す斜視図である。
【図７】本発明の実施形態に係る開梱確認用の非接触ＩＣタグを貼付させた後に、包装用フィルムを梱包体の本体から剥ぎ取った場合における非接触ＩＣタグの状態を説明する断面図である。
【図８】本発明の実施形態に係る開封確認用の非接触ＩＣタグに内蔵されている他のインレットの平面図である。
【図９】図８に示すインレットが切断された状態を示す平面図である。
【符号の説明】
【００３４】
１  開梱確認用の非接触ＩＣタグ
２，２ａ，５４  切り取り用ミシン
４ａ，４ｂ  シート状基材
５  インレット
６  接着剤
６ａ，６ｂ  スペーサシート
８ａ，８ｂ  粘着層
９ａ，９ｂ  剥離用シート
１０  梱包体
１１  包装用フィルム
５１  ベースフィルム
５２，５２ａ，５２ｂ  アンテナ部
【図１】
0005136022.tif 000002
【図２】
0005136022.tif 000003
【図３】
0005136022.tif 000004
【図４】
0005136022.tif 000005
【図５】
0005136022.tif 000006
【図６】
0005136022.tif 000007
【図７】
0005136022.tif 000008
【図８】
0005136022.tif 000009
【図９】
0005136022.tif 000010